(57)【特許請求の範囲】
【請求項１】
ローカル通信手段と、
文字入力手段と、
前記ローカル通信手段によって画像記憶装置から受信した画像データのファイル名を、前記入力手段から入力された文字列に変換して、公衆回線網に送信する公衆回線網通信手段とを有し、
前記ローカル通信手段は、画像データの要求が前記公衆回線網通信手段により受信されると、要求された画像データのファイル名を前記画像記憶装置から受信したファイル名に変換して、画像記憶装置に画像データを要求することを特徴とする通信装置。
【請求項２】
ローカル通信によって画像記憶装置から受信した画像データのファイル名を、名前入力手段から入力された文字列に変換して、公衆回線網に送信し、
画像データの要求が公衆回線網から受信されると、要求された画像データのファイル名を画像記憶装置から受信したファイル名に変換して、画像記憶装置に画像データを要求することを特徴とする通信プログラム。
【請求項３】
ローカル通信によって画像記憶装置から受信した画像データのファイル名を、名前入力手段から入力された文字列に変換して、公衆回線網に送信し、
画像データの要求が公衆回線網から受信されると、要求された画像データのファイル名を画像記憶装置から受信したファイル名に変換して、画像記憶装置に画像データを要求することを特徴とする通信プログラムが記憶された記憶媒体。
【発明の詳細な説明】
【０００１】
【発明の属する技術分野】
本発明は、公衆回線網を介してデータ転送を行う手段と、公衆回線網とは別にローカルに通信を行う手段とを備えた通信装置（例えば、パーソナルコンピュータ、携帯電話、PDAなど）に関し、特に、撮像装置（例えば、通信機能を持つデジタルスチルカメラ）などの画像記憶装置とローカルに通信を行う通信装置に関する。
【０００２】
【従来の技術】
近年のインターネットの普及により、容易にメールの交換やWebアクセスによる情報の入手が可能となり、公衆回線接続機能を有するパーソナルコンピュータ（以下PC）の普及が急速に進んでいる。
【０００３】
同様に移動無線電話機においても無線回線がデジタル化され、PHS（パーソナル・ハンディーフォン・システム）や携帯電話に代表されるデジタル無線電話機で、文字メール機能や簡易的なＷｅｂブラウザ機能を実現できるようになっている。更に最近ではインターネット標準プロトコルに対応した電話機サービスなども市場に投入され、PCに搭載されているe-mail機能やWebアクセス機能に類似した機能を有するデジタル無線電話の普及が見込まれる。
【０００４】
このｅ−ｍａｉｌやＷｅｂでは多くの画像データが扱われており、画像はスキャナーやデジタルスチルカメラから、転送したい画像データを一旦ＰＣに取り込み、ｅ−ｍａｉｌ添付による転送やホームページ゛へのアップロードなどを行う方法が一般的である。この画像取り込みには、従来専用デジタルインターフェイスやＵＳＢ（ユニバーサル・シリアル・バス）などを用いていたが、ケーブル接続の煩わしさを解消するために、現在ケーブルの代わりにローカルにデータを無線伝送するローカル無線インターフェイスの方式が検討されている。
【０００５】
【発明が解決しようとする課題】
しかしながら、上記従来例においては、デジタルスチルカメラ等の撮像装置から画像データを、PCもしくは携帯電話等の公衆回線通信機能を備えた通信装置へ取り込み、その後、所望の場所に画像データを転送する場合、画像データのファイル名が前記デジタルカメラで画像の内容とは関係無しに自動生成されたものであったので、公衆回線網を介して画像データを受け取った側では、画像データのファイル名から画像の内容が分からないということが起きていた。
【０００６】
一般に、撮像装置で撮影して得られた画像データに対して前記撮像装置が自動的に与えるファイル名は、前記撮像装置によって自動的に割り振られた番号に基づいて生成され、前記画像データは、例えば、図４に示すような構成及びファイル名で前記撮像装置が持つ着脱可能な記憶装置に記憶されている。
【０００７】
従って、受け取った側で前記画像データを保存する場合などは、その画像の内容に適したファイル名、もしくは直感的に画像内容が類推できるファイル名に変換しなければならないという煩わしさがあった。
【０００８】
【課題を解決するための手段】
そこで、本発明によれば、通信装置に、ローカル通信手段と、文字入力手段と、公衆回線網通信手段とを設け、前記公衆回線網通信手段により、前記ローカル通信手段によって画像記憶装置から受信した画像データのファイル名を、前記入力手段から入力された文字列に変換して、公衆回線網に送信する。
【０００９】
これによって、公衆回線網を介して画像データを受け取った側では、画像データのファイル名をいちいち変換しなければならないという煩わしさが解消される。
【００１０】
また、前記ローカル通信手段は、画像データの要求が前記公衆回線網通信手段により受信されると、要求された画像データのファイル名を前記画像記憶装置から受信したファイル名に変換して、画像記憶装置に画像データを要求する。
【００１１】
【発明の実施の形態】
以下、本発明の実施の形態について図面を参照しながら説明する。
【００１２】
本提案の画像データ転送システムの形態例を図１に示す。
【００１３】
本システムでは、画像記憶装置である撮像装置101と、無線電話機である通信装置102が、ローカルな通信手段により接続され、通信装置102は、公衆回線網103と公衆回線網通信手段により接続される。
【００１４】
これにより、通信装置102は、公衆回線網103の先にあるネットワーク接続機器104Ａ、Ｂに対してデータ転送を行うことができる。また、ネットワーク接続機器104Ａ、Ｂから公衆回線網103を介して通信装置102へのデータ転送も可能である。
【００１５】
本システムで用いる通信装置の構成を、図３に示した機能ブロック図を用いて説明する。
【００１６】
まず、通信装置102は、制御部102-a、記憶装置102-b、該記憶装置102-b内に記憶されているデータベース102-c、画像表示部102-d、データ処理部102-e、ローカル通信処理部102-f、公衆回線網通信処理部102-g、アンテナ102-h、ユーザインターフェース102-iの機能ブロックを持つ。
【００１７】
ここで、各機能ブロックの説明をする。
【００１８】
ローカル通信処理部102-fは、アンテナ102-hを用いてローカルな通信接続により通信を行う手段であり、公衆回線網通信処理部102-gは、アンテナ102-hを用いて公衆回線網103と接続して通信する手段である。
【００１９】
ユーザインターフェース102-iは、文字入力手段や選択手段としてユーザが用いることができる。データ処理部102-eは、制御部102-aに従い、ファイル名の変換を行う。また、画像表示部102-dは、制御部102-aに従い、画像や文字などを表示する。
【００２０】
記憶装置102-bは、制御部102-aに従い、データやその他情報を記憶し、データベース102-cは、図２に示すようなローカル通信で用いられるファイル名と公衆回線網通信で用いるファイル名を対応づけた記憶テーブルである。
【００２１】
以上に示した機能ブロックを用いて、通信装置102は、ローカル通信と公衆回線網通信を行い、またデータベース102-cにある情報を用い、データ処理部102-eによりファイル名を変換する機能を備えた通信装置である。
【００２２】
ここで、通信装置102が持つ機能ブロックであるデータ処理部102-eが、制御部102-aの制御の元に行うファイル名変換処理を、図５のフローチャートに従って説明する。図５は、制御部102-aのプログラムの一部を示す。このプログラムは、記憶装置102-bに記憶されており、制御部102-aは、このプログラムを記憶装置102-bから読み出して、図５に示される制御を行うコンピュータである。記憶装置102-bは、このプログラムは、制御部102-aが読み出すことができるように記憶した記憶媒体である。このプログラムを、不図示のフロッピーディスク、CD-ROMに記憶し、ローカル通信処理部102-fと通信を行うフロッピーディスクドライブ、CO-ROMドライブで、このプログラムを読み出し、ローカル通信処理部102-fを介して、制御部102-aに供給する形態においては、このフロッピーディスク、CD-ROMは、このプログラムを制御部102-aにより読み出し可能に記憶した記憶媒体に相当する。また、このプログラムは、ネットワーク接続機器104A、104Bから、公衆回線網103、公衆回線網通信処理部102-gを介して、制御部102-aに供給するようにしても良い。
【００２３】
まず、通信装置102が持つ機能ブロックである制御部102-aによりファイル名変換処理の開始が指示されると、ステップS101において、ファイル名の変換は、ローカル通信で用いるファイル名を公衆回線網通信で用いるファイル名に変換するのか、その逆に、公衆回線網通信で用いるファイル名をローカル通信で用いるファイル名に変換するのかを判断する。
【００２４】
この判断基準はローカル通信で接続されている撮像装置101より通信装置102が受信した画像データを公衆回線網103へ転送する場合には（ローカル→公衆）のファイル名変換処理を行い、公衆回線網103に接続されたネットワーク接続機器104より通信装置102に対して転送要求のあった画像データのファイル名をローカル通信で接続された撮像装置101に通知する場合には（公衆→ローカル）のファイル名変換処理を行う。
【００２５】
ここで、（ローカル→公衆）のファイル名変換処理が選択された場合、ステップS102において、送信ファイル名を新規に設定するかどうかを、画像表示部102-d等を用いてユーザに尋ね、ユーザは、ユーザインターフェース102-iを用いて選択する。
【００２６】
このとき、送信ファイル名の新規設定が必要ないと選択された場合は、ステップＳ１０５に進む。また、送信ファイル名を新規設定することが選択された場合は、ステップＳ１０３において、ユーザはユーザインターフェース１０２−ｉを文字入力手段として用いて所望のファイル名を入力し、続いてステップＳ１０４において、データ処理部１０２−ｅにより画像データのファイル名を新規ファイル名に変換し、ステップＳ１０５に進む。すなわち、本形態では、ローカル通信処理部１０２−ｆによって受信した画像データのファイル名（撮像装置１０１が作成したファイル名）と、ユーザインターフェース１０２−ｉにより入力したファイル名のうち、ユーザにより選択された方を送信する。
【００２７】
ステップS105において、データベース102-cに当画像データのローカル通信用のファイル名と公衆回線網通信用ファイル名を対応付けて記憶する。なお、図２に示される様に、ステップS102において、送信ファイル名の新規設定が必要ないと選択された場合は、データベース102-cの公衆回線網通信用ファイル名には、ローカル通信用ファイル名と同じファイル名が、記憶される。図２において、左側に示されるのが、公衆回線網103に送信した画像データのファイル名であり、右側に示されるのが、ローカル通信を介して撮像装置101から受信した画像データのファイル名である。
【００２８】
以上の処理を行った後、（公衆→ローカル）のファイル名変換処理が選択された場合におけるファイル名変換処理は終了となる。
【００２９】
（公衆→ローカル）のファイル名変換処理が選択された場合、ステップS106において、データベース102-cの公衆回線網通信用ファイル名リストから、転送を要求されている画像データのファイル名を検索する。
【００３０】
ステップS107において、検索の結果、リスト内にファイル名が一致するものがあったかを判断する。一致するものがあった場合、ステップS108において、データベース102-cのファイル名変換情報に基づき公衆回線網通信用ファイル名をローカル通信用ファイル名に変換する。
【００３１】
また、ステップS107にて一致するものがないと判断された場合、ステップS109において、要求された画像データが過去において通信装置102より送信されていないことを、公衆回線網103を介してネットワーク接続機器104に通知する。
【００３２】
以上の処理を行った後、（公衆→ローカル）のファイル名変換処理が選択された場合におけるファイル名変換処理は終了となる。
【００３３】
次に、本提案の画像データ転送システムの動作フローを、図６および図７を用いて説明する。通信装置102は、制御部102-aの制御の元に、以下の動作を行う。制御部102-aは、記憶装置102-bに記憶されたプログラムにしたがって動作するコンピュータである。記憶装置102-bは、このプログラムは、制御部102-aが読み出すことができるように記憶した記憶媒体である。このプログラムを、不図示のフロッピーディスク、CD-ROMに記憶し、ローカル通信処理部102-fと通信を行うフロッピーディスクドライブ、CO-ROMドライブで、このプログラムを読み出し、ローカル通信処理部102-fを介して、制御部102-aに供給する形態においては、このフロッピーディスク、CD-ROMは、このプログラムを制御部102-aにより読み出し可能に記憶した記憶媒体に相当する。また、このプログラムは、ネットワーク接続機器104A、104Bから、公衆回線網103、公衆回線網通信処理部102-gを介して、制御部102-aに供給するようにしても良い。
【００３４】
はじめに、ステップS201において、ユーザは撮像装置101を用いて撮影し、撮像装置101は画像データを記憶装置に保存する。ここで、記憶装置は、撮像装置101に着脱可能な記憶装置である。
【００３５】
次に、ステップS202及びステップS203において、通信装置102は、ローカル処理部102-fを用いて、撮像装置101と通信接続処理を行い、ローカルな通信接続を確立する。
【００３６】
続いて、ステップS204及びステップS205において、通信装置102は、公衆回線網通信処理部102-gを用いて、公衆回線網103に対して通信接続処理を行い、公衆回線網接続を確立する。
【００３７】
上記の各通信接続が確立された後、ステップＳ２０６において、撮像装置１０１は、ローカル通信を用いて画像データを通信装置１０２に転送する。このときのファイル名は撮像装置１０１が自動的に生成したものである。撮像装置１０１は、着脱可能な記憶装置に保存されている画像データを、ローカル通信を用いて送信する。制御部１０２−ａは、受信した画像データを、画像表示部１０２−ｄで表示できる様に展開し、画像表示部１０２−ｄに画像として表示する。本発明の一形態では、ユーザは、撮像装置１０１に記憶された複数の画像データのうち、公衆回線網１０３へ送信する画像データを、ユーザインターフェース１０２−ｉを用いて、指定する。通信装置１０２は、撮像装置１０１に記憶された画像データのうち、公衆回線網１０３へ送信する画像データを、記憶装置から読み出し、ローカル通信処理部１０２−ｆを用いて、撮像装置１０１に要求する。撮像装置１０１は、要求された画像データを通信装置１０２に送信する。撮像装置１０１は、この画像データを、ローカル通信処理部１０２−ｆから受信する。
【００３８】
ステップS207において、通信装置102は受信した画像データに対してファイル名変換処理を行う。このとき、ローカル通信用ファイル名を公衆回線網通信用ファイル名に変更しない場合でも、送信ファイル名としてローカル通信用ファイル名を公衆回線網通信用ファイル名としてデータベース102-cに記憶する必要があるので、本ステップS207は必ず実行される。
【００３９】
ステップS208において、通信装置102は前記画像データを、公衆回線網通信用ファイル名を用いて公衆回線網103に対してデータ送信する。
【００４０】
以上の手順をもって、本提案の画像データ転送システムは通信装置102を介して撮像装置101から公衆回線網103にデータ転送を行う。
【００４１】
次に、公衆回線網103側から通信装置102を介して撮像装置101に画像データの転送を要求があった場合の本システムの動作手順を説明する。
【００４２】
ステップS209において、公衆回線網103側から画像データの転送要求が通信装置102に対して通知される。なお、通信装置102は、この通知を、公衆回線網通信処理部102-gを用いて受信する。また、この通知内容には、要求する画像データのファイル名が含まれている。
【００４３】
ステップS210において、通信装置102は、図５で説明したファイル名変換処理を行い、受信した前記画像データの転送要求の通知に含まれる画像データのファイル名をローカル通信用ファイル名に変換する。
【００４４】
続いてステップS211において、通信装置102は、前記ローカル通信ファイル名に一致する画像データの転送要求を撮像装置101に対してローカル通信処理部102-fを用いて通知する。
【００４５】
ステップS212において、撮像装置101は通信装置102より通知されたファイル名に一致する画像データを撮像装置が持つ記憶装置より取り出し、ローカル通信を用いて通信装置102に前記画像データをデータ転送する。
【００４６】
ステップS213において、通信装置102は受信した前記画像データのファイル名をローカル通信用ファイル名から公衆回線網通信用ファイル名に変換する。この公衆回線網通信用ファイル名は、ステップS209で受信した転送要求に含まれていたファイル名である。
【００４７】
続いてステップS214において、通信装置102は、公衆回線網通信処理部102-gから公衆回線網103に対して、前記画像データを前記公衆回線網通信用ファイル名にてデータ転送する。
【００４８】
以上の手順をもって、本提案の画像データ転送システムは通信装置102を介して公衆回線網103から画像データの転送要求があった場合、通信装置102を介して撮像装置101に要求された画像データを通知し、それに基づいて撮像装置101から公衆回線網103にデータ転送を行う。
【００４９】
また、上述のステップS206からステップS208の手順、またはステップS209からステップS214の手順を繰り返すことも可能である。
【００５０】
そして、それらの一連の手順を実行した後に、ステップS215、S216、S217において、ローカル通信の切断処理及び公衆回線網通信の切断処理を行う。
【００５１】
以上、図６、図７を用いて、ローカル通信接続、および、公衆回線接続の後に、ファイル名変換処理を行う形態の動作を説明した。
【００５２】
次に、ローカル通信接続後、公衆回線接続前に、ファイル名変換処理を行う形態の動作を説明する。
【００５３】
本形態では、通信装置102のユーザインターフェース102-i（テンキー）から送信データの名前を入力しておき、送信データをローカル通信処理部102-fから撮像装置101に要求する。そして、ローカル通信処理部102-fから受信した送信データを、公衆回線網通信処理部102-gから公衆回線網103に送信する時に、公衆回線網103に送信する送信データにユーザインターフェース102-iから入力した名前を付けて、送信する。
【００５４】
図８は、制御部102-aのプログラムの一部を示す。このプログラムは、記憶装置102-bに記憶されており、制御部102-aは、このプログラムを記憶装置102-bから読み出して、図８に示される制御を行うコンピュータである。記憶装置102-bは、このプログラムは、制御部102-aが読み出すことができるように記憶した記憶媒体である。このプログラムを、不図示のフロッピーディスク、CD-ROMに記憶し、ローカル通信処理部102-fと通信を行うフロッピーディスクドライブ、CO-ROMドライブで、このプログラムを読み出し、ローカル通信処理部102-fを介して、制御部102-aに供給する形態においては、このフロッピーディスク、CD-ROMは、このプログラムを制御部102-aにより読み出し可能に記憶した記憶媒体に相当する。また、このプログラムは、ネットワーク接続機器104A、104Bから、公衆回線網103、公衆回線網通信処理部102-gを介して、制御部102-aに供給するようにしても良い。
【００５５】
以下、図８を参照して、制御部102-aの制御の元に、携帯電話機である通信装置102が行う動作を説明する。
【００５６】
制御部102-aは、ユーザインターフェース102-iからローカル通信が指示されると、ローカル通信部102-fを制御して、画像記憶装置である撮像装置101とローカル通信接続を行い（S301）、撮像装置101から、撮像装置101が有する画像データのファイル名およびサムネイルデータを受信し、そのファイル名およびサムネイル画像を画像表示部102-dに表示する（S302）。撮像装置101は、画像データ、サムネイルデータ、ファイル名のデータを記憶しており、通信装置102から指定されたデータを送信する。なお、サムネイルデータは、画像データよりも、データ量の小さい縮小画像データである。ユーザは、サムネイルを見て、送信画像を選択する。
【００５７】
ユーザが、ユーザインターフェース102-iから、送信したい画像データを選択し、送信先を指定すると（S303）、制御部102-aは、ファイル名変換処理を行う（S304）。このファイル名変換処理では、送信画像データに付与するファイル名を決定する。ここで、ファイル名は、送信する画像データの名前である。本発明の一形態では、ユーザインターフェース102-iから送信画像が選択されると、画像表示部102-dに、送信画像の名前を入力する画面を表示する。送信先を入力するユーザインターフェース102-iの一例は、テンキーである。本発明の一形態では、送信する画像データのファイル名も、このテンキーから入力する。
【００５８】
そして、制御部102-aは、公衆回線網通信処理部102-gを制御し、公衆回線網103と接続し（S305）、S303で選択された画像の画像データをローカル通信処理部102-fから撮像装置101に要求する（S306）。この要求の一形態は、S302で受信したファイル名を、撮像装置101に通知する。また、この要求の他の形態は、撮像装置101から受信した画像の何枚目かを示すデータを、撮像装置101に通知する（例えば、8枚の画像のファイル名を受信した場合に、その6枚目の画像を希望する場合は、「6」を通知する）。あるいは、他の形態では、最新の（先の例では、８枚目の）画像、あるいは、１つ前の（7枚目の）画像の送信を要求する。この要求に応答して、撮像装置101は、要求された画像データを送信する。通信装置102は、この画像データをローカル通信処理部102-fで受信する。
【００５９】
また、本発明の他の形態では、Ｓ３０２において、サムネイルの受信を行わずに、ローカル通信処理部１０２−ｆを用いて、撮像装置１０１の表示部に表示される画像の選択を行う。すなわち、通信装置１０２は、撮像装置１０１に表示される画像のリモコンとして動作する。この形態では、撮像装置１０１は、画像表示装置である。送信画像データのファイル名を入力した後（Ｓ３０４）、撮像装置１０１で表示している画像の送信の指示を、ユーザインターフェース１０２−ｉから入力すると、公衆回線網接続を行い（Ｓ３０５）、ローカル通信処理部１０２−ｆは、表示中の画像データを撮像装置１０１に要求する（Ｓ３０６）。
【００６０】
制御部102-aは、ローカル通信処理部102-fにより撮像装置101から受信した画像データを、S304で入力したファイル名とともに、公衆回線網通信処理部102-gから公衆回線網103を介して、S303で指定された送信先に送信する（S307）。本発明の一形態では、S305において、通信装置102から送信先への通信路を接続し、S307では、その通信路へ画像データを送信する。また、本発明の他の形態では、S305における通信装置102と送信先の間の通信路の接続は、行わずに、S307において、画像データに、送信先を示すデータを付加して、公衆回線網通信処理部102-gから公衆回線網103へ送信する。送信先は、S304で入力されたファイル名の付与された画像データを受信する。
【００６１】
その後、画像データの送信が終了すると、ローカル通信接続および公衆回線網接続を切断する（S308）。
【００６２】
本形態では、画像データは、撮像装置101が送信した画像データを、公衆回線網103を介して、送信先に転送しているので、通信装置102内に、大容量の画像データを記憶するための記憶装置を用意する必要はない。
【００６３】
また、ネットワーク接続機器104Aまたは104Bから、ファイル名を指定して、画像の転送が要求された場合、通信装置102は、S304で保存しておいた撮像装置101が保持するファイル名と通信装置102が送信したファイル名のデータベースを用いて、指定されたファイル名を、撮像装置101が保持するファイル名に変換する。
【００６４】
そして、通信装置102は、変換したファイル名の画像データを撮像装置101に要求し、撮像装置101から受信した画像データを、公衆網103を介して、要求者に送信する。
【００６５】
なお、本発明の他の実施の形態では、無線電話機である通信装置102において、公衆回線網103に送信するデータ（画像データに限らない）に名前を付け、通信装置102のローカル通信処理部102-fから受信したデータを、公衆回線網通信処理部102-gから、名前とともに公衆回線網103に送信する。
【００６６】
【発明の効果】
本発明では、撮像装置などの画像記憶装置とローカル通信で接続された通信装置の備える文字入力手段を用いて、画像記憶装置より転送された画像データのファイル名をユーザがその画像の内容に適したファイル名、もしくは直感的に画像内容が類推できるファイル名に変更することができる。そして、通信装置は変更されたファイル名で画像データを公衆回線網に転送することができる。
【００６７】
これによって、公衆回線網を介して画像データを受け取った側では、画像データのファイル名をいちいち変換しなければならないという煩わしさが解消される。
【００６８】
また、公衆回線網を介して画像データの送信を要求された場合、通信装置は、ローカル通信で接続されている画像記憶装置に対して、画像記憶装置に記憶されている画像データのファイル名にファイル名を変換して、画像データを要求することができる。
【図面の簡単な説明】
【図１】本提案の実施形態におけるシステム構成図である。
【図２】通信装置に保存されているデータベースの例の図である。
【図３】通信装置の機能ブロックの構成図である。
【図４】撮像装置が自動生成したファイル名と記憶装置内での構成例の図である。
【図５】ファイル名変換処理のフロー図である。
【図６】本形態の画像データ転送システムの動作説明図である。
【図７】本形態の画像データ転送システムの動作説明図である。
【図８】他の形態の画像データ転送システムの動作説明図である。
【符号の説明】
１０１  撮像装置
１０２  通信装置
１０３  公衆回線網
１０４  ネットワーク接続機器
【図１】
0003647395.tif 000002
【図２】
0003647395.tif 000003
【図３】
0003647395.tif 000004
【図４】
0003647395.tif 000005
【図５】
0003647395.tif 000006
【図６】
0003647395.tif 000007
【図７】
0003647395.tif 000008
【図８】
0003647395.tif 000009